(57)【要約】【課題】携帯電話機等の通信機器のアンテナヘッドに装着可能な通信機器用芳香器を提供する。【解決手段】通信機器用芳香器１の内部には、外部と連通した連通部である小孔１６、１６・・を備えた芳香剤収納室１５が設けられている一方、通信機器用芳香器１の底面にはアンテナヘッド４を挿入可能な挿入孔１２が設けられているとともに、該挿入孔１２の開口縁１３には、アンテナロッド１０とアンテナヘッド４との径の差により形成された係止面１１に係止可能な弾性係止片１４、１４・・が設けられており、前記挿入孔１２にアンテナヘッド４を挿入した状態で、前記弾性係止片１４、１４・・によってアンテナヘッド４に係止する。【選択図】  図２
2004364160.tif 000002
【特許請求の範囲】
【請求項１】
携帯電話機等のアンテナを備えた通信機器のアンテナロッドの先端に取り付けられているアンテナヘッドに装着する通信機器用芳香器であって、
該通信機器用芳香器内部には、芳香剤を収納可能な芳香剤収納室と、その芳香剤収納室を外部に連通させる連通部とを備える一方、
前記通信機器用芳香器の底面にはアンテナヘッドを挿入可能な挿入孔を設けるとともに、該挿入孔の開口縁には、挿入孔へのアンテナヘッドの挿入状態でアンテナヘッドの底面に係止可能な弾性係止片を形成し、
前記挿入孔にアンテナヘッドを挿入することで、アンテナヘッドに着脱自在に装着されることを特徴とする通信機器用芳香器。
【請求項２】
前記通信機器用芳香器は前記芳香剤収納室部分で分離されるキャップ部と基部とからなるものであって、キャップ部の着脱により芳香剤収納室と任意に開閉可能としたことを特徴とする請求項１に記載の通信機器用芳香器。
【発明の詳細な説明】
【０００１】
【発明の属する技術分野】
本発明は、携帯電話機等の通信機器のアンテナヘッドに装着可能な通信機器用芳香器に関するものである。
【０００２】
【従来の技術】
従来より、快い香りを楽しみながら通話を行うために、特許文献１に開示されているような、ケーシング本体内の振動発生器の偏心荷重に芳香部材を取り付ける携帯電話機が知られている。また、特許文献２に開示されているような、携帯電話機のコネクタ部に取り付け可能な芳香剤を内置した発香装置も知られている。
【０００３】
【特許文献１】
特開２００２−２９０５２６号公報
【特許文献２】
特開２００３−６０７３８号公報
【０００４】
【発明が解決しようとする課題】
しかしながら、特許文献１に開示されている携帯電話機は、着信時に携帯電話機が振動した時のみ香りがするものであるため、香りを楽しめる時間は着信してから電話に出るまでのほんの一瞬にすぎず、香りを十分に楽しむことはできない。また、特許文献１では、内部に芳香部材を組み込む構成となっているため、既存の携帯電話機には取り付けることができない。
また、特許文献２に開示されている発香装置は、携帯電話機のコネクタ部に取り付けるものであり、一見各種携帯電話機に適用できるかに思われる。しかしながら、携帯電話機のコネクタ部の形状は、携帯電話機の種類によってそれぞれ異なる形状であるため、各携帯電話機毎に接続部の異なる発香装置を生産しなければならず、実用的ではない。また、携帯電話機はアンテナ側を上方に向けて立てた状態でポケット等に入れるため、コネクタ部から香りを放出させても服に付着するばかりで、香りが鼻先に届くには効率が悪いものである。
【０００５】
そこで、請求項１に記載の発明は、どのような機種の通信機器であっても、容易に着脱が可能であり、いつでも香りを楽しむことができる通信機器のアンテナヘッドに装着可能な通信機器用芳香器を提供するものである。
【０００６】
【課題を解決するための手段】
上記目的を達成するために、請求項１に記載の発明は、携帯電話機等のアンテナを備えた通信機器のアンテナロッドの先端に取り付けられているアンテナヘッドに装着する通信機器用芳香器であって、該通信機器用芳香器内部には、芳香剤を収納可能な芳香剤収納室と、その芳香剤収納室を外部に連通させる連通部とを備える一方、前記通信機器用芳香器の底面にはアンテナヘッドを挿入可能な挿入孔を設けるとともに、該挿入孔の開口縁には、挿入孔へのアンテナヘッドの挿入状態でアンテナヘッドの底面に係止可能な弾性係止片を形成し、前記挿入孔にアンテナヘッドを挿入することで、アンテナヘッドに着脱自在に装着されることを特徴とするものである。
請求項２に記載の発明は、請求項１の目的に加えて、前記通信機器用芳香器は前記芳香剤収納室部分で分離されるキャップ部と基部とからなるものであって、キャップ部の着脱により芳香剤収納室と任意に開閉可能としたことを特徴とするものである。
【０００７】
【発明の実施の形態】
以下、本発明の実施の一形態である、携帯電話機のアンテナヘッドに取り付けるアンテナキャップ状の通信機器用芳香器を図面に基づいて説明する。
【０００８】
図１は、通信機器用芳香器１を携帯電話機２のアンテナヘッド４に装着した状態を示す説明図である。図２は、該携帯電話機２のアンテナ３、及び装着された通信機器用芳香器１の断面図である。図３は、通信機器用芳香器１の斜視図である。
【０００９】
携帯電話機２は、図１に示されているように、本体ケーシング５に操作部６、ディスプレイ７、マイク８とを備えたものであり、操作部６上には複数の操作キー９が配備されている。また、ディスプレイ７側の端部にはアンテナ３が伸縮自在に取り付けられている。
【００１０】
アンテナ３は、図２に示されているように、アンテナロッド１０の先端に、アンテナロッド１０よりも径の大きな係止面１１が形成されたアンテナヘッド取付具２１が装着されている。アンテナヘッド取付具２１の上面には雄ネジ部が一体的に突設されており、アンテナキャップ４が該雄ネジ部に螺着されている。
【００１１】
アンテナヘッド４に装着される通信機器用芳香器１は合成樹脂より成形されたものであって、図３に示されているように、アンテナヘッド４よりもさらに大径の円柱形状に形成されたものである。通信機器用芳香器１の底面にはアンテナヘッド４を挿入可能な挿入孔１２が穿設されている。挿入孔１２の径は、アンテナヘッド４の径と略同じ大きさであり、挿入孔１２の深さもアンテナヘッド４の軸方向の長さと略同じとなっている。また、挿入孔１２の開口縁１３には、３つの弾性係止片１４が等間隔に一体的に突設されている。
また、通信機器用芳香器１内であって挿入孔１２と上面（挿入孔１２の開口面と向かい合っている面）との間には、芳香効果のある芳香剤として香料を固めた樹脂２０を収納するための芳香剤収納室１５が設けられている。芳香剤収納室１５の内壁には連通部である複数の小孔１６，１６・・が外部と連通するように穿設されており、芳香剤収納室１５内に収納した芳香剤から発せられる香りを外部に発散させることができるようになっている。また、各小孔１６より樹脂を注入することができる。
【００１２】
このように形成された通信機器用芳香器１を装着したい時には、挿入孔１２の開口部に携帯電話機２のアンテナヘッド４を押し当てて押し込む方向に力を加えると、弾性係止片１４が押し広げられ、押し込むことができる。そして、弾性係止片１４がアンテナヘッド取付具２１の係止面１１まで押し込まれると、該係止面１１に弾性係止片１４が係合し、通信機器用芳香器１はアンテナヘッド４に装着された状態となる。装着時において通信機器用芳香器１は、弾性係止片１４がアンテナヘッド取付具２１の係止面１１に係止された状態となっているため、アンテナヘッド４から自然に外れることはない。また、通信機器用芳香器１は弾性係止片１４により係止されているだけであるため、通信機器用芳香器１を取り外したい時には、通信機器用芳香器１をアンテナヘッド４から遠ざける方向へ引っ張るだけで、簡単にアンテナヘッド４から取り外すことができる。
【００１３】
上記の如く構成された通信機器用芳香器を用いると、携帯電話機に容易に装着することが可能であり、携帯電話機を所持している間はいつでも自分好みの快い香りを楽しむことができる。また、通信機器用芳香器の着脱が容易であるため、使用者は自由に取り替えることができる。さらに、アンテナヘッドに取り付ける構成であるため、香りを効率よく鼻先に届けることができる。さらにまた、市販されている携帯電話機に用いられているアンテナヘッドの径の大きさは、機種毎によってそれほど大きな違いは見当たらないため、どのような機種の携帯電話機であっても取り付けることができる。
【００１４】
なお、本発明にかかる通信機器用芳香器の構成は、上記した実施例の態様に何ら限定されるものではなく、本発明の趣旨を逸脱しない範囲で適宜変更することができる。
【００１５】
たとえば、通信機器用芳香器の挿入孔の深さを、市販されている携帯電話機の中で最も長いアンテナヘッドに合わせておけば、ほとんどすべての携帯電話機に対応可能な通信機器用芳香器とすることができる。また、取り替えが容易であるため、収納する芳香剤の量を調節することで、一日で使い切れるようにすれば、毎日その日気分に適した香りを発するものとすることも可能である。加えて、芳香剤は香料を固めた樹脂状のものに限定されることはなく、香水でも、お香のようなものでもよい。
アンテナの形状は実施例に記載された形状ものに限定されることはなく、アンテナロッドの先端近くに係止面が形成された形状のアンテナであれば何ら問題はない。
【００１６】
さらに、通信機器用芳香器の形状は勿論、円柱状に限定される必要はなく、角柱状あるいはキャラクターの形状等であっても何等問題はないし、挿入孔の開口縁に突設されている弾性係止片の数や形状、芳香剤収納室に設ける連通部の数も適宜変更可能である。さらにまた、芳香剤収納室に設ける連通部を孔状とせずにスリット状としても何ら問題はないし、通信機器用芳香器の一部にスポンサー名等の表示を施してもよい。
【００１７】
また、図４に示すように、通信機器用芳香器４１をキャップ部４２と基部４３とに分割可能としてもよい。通信機器用芳香器４１では、基部４３側の芳香剤収納室４４の側壁外周には雄ネジ部が設けられており、一方キャップ４２側には該雄ネジ部と螺合可能な雌ネジ部が設けられている。それらの両ネジ部を螺合させることで、キャップ部４２を基部４３に取り付け、芳香剤収納室４４を閉蓋することができる。
このような構成とすることで、芳香剤がなくなった場合には、キャップ部４２を外して芳香剤収納室４４に新たな芳香剤を充填すればよく、わざわざ通信機器用芳香器４１を付け替える必要がなくなる。また、使い捨ての通信機器用芳香器よりもゴミの量が減り、環境にも十分に配慮することができる。
【００１８】
さらに、図５に示すような通信機器用芳香器５１としてもよい。通信機器用芳香器５１は、図４に示されている通信機器用芳香器４１と略同様の構成を有しているものではあるが、芳香を発散させるための連通部である小孔５４を穿設した部位が異なっている。通信機器用芳香器５１では、小孔５４は基部５３に設けられた雄ネジ部５５の基端付近に穿設されている。
このような構成とすることで、香りを楽しみたい時はキャップ部５２を小孔５４が開放される程度に緩めれば香りは発散し、逆に香りが必要ない時にはキャップ部５２を締めれば香りの発散を防止することができる。したがって、場所や時間、気分に応じて香りの発散を管理することができる上、芳香剤の節約にもなる。
【００１９】
【発明の効果】
請求項１に記載の発明によれば、携帯電話機に容易に装着することが可能であり、携帯電話機を所持している間はいつでも自分好みの快い香りを楽しむことができる。また、通信機器用芳香器の着脱が容易であるため、使用者は自由に取り替えることができる。さらに、アンテナヘッドに取り付ける構成であるため、香りを効率よく鼻先に届けることができる。さらにまた、市販されている携帯電話機に用いられているアンテナヘッドの径の大きさは、機種毎によってそれほど大きな違いは見当たらないため、どのような機種の携帯電話機であっても取り付けることができる。
請求項２に記載の発明によれば、請求項１の効果に加えて、芳香剤がなくなった場合には、キャップ部を外して芳香剤収納室に新たな芳香剤を充填すればよく、わざわざ通信機器用芳香器を付け替える必要がなくなる。また、使い捨ての通信機器用芳香器よりもゴミの量が減り、環境にも十分に配慮することができる。
【図面の簡単な説明】
【図１】通信機器用芳香器を携帯電話機のアンテナヘッドに装着した状態を示す説明図である。
【図２】携帯電話機のアンテナ、及び装着された通信機器用芳香器の断面図である。
【図３】挿入孔側から見た通信機器用芳香器の斜視図である。
【図４】通信機器用芳香器の断面図である。
【図５】通信機器用芳香器の断面図である。
【符号の説明】
１・・通信機器用芳香器、２・・携帯電話機、３・・アンテナ、４・・アンテナヘッド、５・・本体ケーシング、６・・操作部、７・・ディスプレイ、８・・マイク、９・・操作キー、１０・・アンテナロッド、１１・・係止面、１２・・挿入孔、１３・・開口縁、１４・・弾性係止片、１５・・芳香剤収納室、１６・・小孔、２０・・樹脂、２１・・アンテナ取付具、４１・・通信機器用芳香器、４２・・キャップ部、４３・・基部、４４・・芳香剤収納室、５１・・通信機器用芳香器、５２・・キャップ部、５３・・基部、５４・・小孔、５５・・雄ネジ部。
【図１】
2004364160.tif 000003
【図２】
2004364160.tif 000004
【図３】
2004364160.tif 000005
【図４】
2004364160.tif 000006
【図５】
2004364160.tif 000007